(57)【要約】【目的】マウスの小形化、軽量化を損ねることなく、快適であり、手首が自由に動かせるリストバンド形アームレストを提供する。【構成】コンピュータのポインティングデバイスであるマウスを操作する側の腕の手首に巻き付けて使用するものであって、前記手首に巻き付けられるリストバンド本体１００Ａを備えており、前記リストバンド本体１００Ａの一部が他の部分より外側に向かって膨出しており、前記膨出している部分は、弾性を有する素材が台部２００Ａとしてリストバンド本体１００Ａに内蔵されることで構成されている。【選択図】      図１
2004185125.tif 000002
【特許請求の範囲】
【請求項１】
コンピュータのポインティングデバイスであるマウスを操作する側の腕の手首に巻き付けて使用するものであって、前記手首に巻き付けられるリストバンド本体を具備しており、前記リストバンド本体の一部が他の部分より外側に向かって膨出していることを特徴とするリストバンド形アームレスト。
【請求項２】
前記膨出している部分は、弾性を有する素材がリストバンド本体に内蔵されることで構成されていることを特徴とする請求項１記載のリストバンド形アームレスト。
【請求項３】
前記膨出している部分は、空気で膨らむ膨張体がリストバンド本体に内蔵されることで構成されていることを特徴とする請求項１記載のリストバンド形アームレスト。
【請求項４】
前記膨出している部分には、自身の中心を回転中心として回転可能な１又は複数の小球が設けられており、前記小球の一部がリストバンド本体から外部に露出していることを特徴とする請求項２又は３記載のリストバンド形アームレスト。
【発明の詳細な説明】
【０００１】
【発明の属する技術分野】
本発明は、コンピュータのポインティングデバイスであるマウスを操作する場合に好適なリストバンド形アームレストに関する。
【０００２】
【従来の技術】
コンピュータのポインティングデバイスとしてのマウスは、コンピュータユーザーはほぼ１００％使用している。かかるマウスを使用する場合、上側から包み込むようにしてマウスを保持し、人指し指は左クリックボタンに、中指は右クリックボタンに載せておく。また、スムーズな移動のために手首はテーブルの上に載せておくのが一般的である。
【０００３】
しかし、手のひらをマウスの上に載せているため、手首は若干上向きに曲がっているため、長時間にわたって操作すると、手首が疲れる。
【０００４】
かかる疲れを解消するために、マウスの後方に手首を載せる台を設けたり（特許文献１参照）、マウスパッドに手首を載せる出っ張りを設ける（特許文献２参照）技術が創案されている。
【０００５】
【特許文献１】
特開２００１−１４２６３５号公報（第２〜３頁  図１）
【特許文献２】
特開２０００−３２２１９７号公報（第２〜３頁  図２）
【０００６】
【発明が解決しようとする課題】
しかしながら、マウスの後方に手首を載せる台を設けると、マウス自体の構造が複雑になるとともに重量が増すという問題がある。また、手首を載せる出っ張りを設けたマウスパッドは手首と出っ張りとが擦れて快適性に劣るという問題があった。また、マウスパッドは固定して使用するものなので、手首が自由に動かせないという問題もあった。
【０００７】
本発明は、上記事情に鑑みて創案されたもので、マウスの小形化、軽量化を損ねることなく、快適であり、手首が自由に動かせるリストバンド形アームレストを提供することを目的としている。
【０００８】
【課題を解決するための手段】
本発明に係るリストバンド形アームレストは、コンピュータのポインティングデバイスであるマウスを操作する側の腕の手首に巻き付けて使用するものであって、前記手首に巻き付けられるリストバンド本体を備えており、前記リストバンド本体の一部が他の部分より外側に向かって膨出して台部となっている。
【０００９】
【発明の実施の形態】
図１は本発明の第１の実施の形態に係るリストバンド形アームレストの概略的斜視図、図２は本発明の第１の実施の形態に係るリストバンド形アームレストの概略的断面図、図３は本発明の第１の実施の形態に係るリストバンド形アームレストの使用状態を示す概略的斜視図、図４は本発明の第２の実施の形態に係るリストバンド形アームレストの概略的斜視図、図５は本発明の第３の実施の形態に係るリストバンド形アームレストの要部の概略的断面図である。
【００１０】
本発明の第１の実施の形態に係るリストバンド形アームレストＡは、コンピュータのポインティングデバイスであるマウスＭを操作する側の腕の手首Ｈに巻き付けて使用するものであって、前記手首Ｈに巻き付けられるリストバンド本体１００Ａを備えており、前記リストバンド本体１００Ａの一部が台部２００Ａとして他の部分より外側に向かって膨出している。
【００１１】
前記リストバンド本体１００Ａは、例えば洗濯可能なタオル地からリング状に形成されており、手首Ｈに巻き付けた場合にピッタリとするようにゴム帯３００Ａが内蔵されている。
【００１２】
前記台部２００Ａは、リストバンド本体１００Ａの内部にゴム等の弾性を有する素材を内蔵させることで形成されている。
【００１３】
従って、図３に示すように、リストバンド形アームレストＡリストバンド本体１００Ａを台部２００Ａが手首Ｈの内側に位置するように手首Ｈに巻き付け、台部２００Ａの部分をテーブルの上に載せる。この状態で、マウスＭを持つと、リストバンド形アームレストＡを用いていない場合より手首の曲がりが小さくなる。これにより、長時間にわたってマウスＭを操作しても手首Ｈの疲れが少なくなる。
【００１４】
また、本発明の第２の実施の形態に係るリストバンド形アームレストＢでは、前記台部２００Ｂは空気によって膨らませられる膨張体（図示省略）である。使用者の好みに応じて空気の量が変えられるので、膨張体、すなわち台部２００Ｂの高さを変更することができる。また、内部の空気によってある程度のクッション性を確保することができるので好都合である。
【００１５】
前記台部２００Ｂである膨張体からは、リストバンド本体２００Ｂの外部に突出した空気注入口２１０Ｂが設けられている。この空気注入口２１０Ｂを介して台部２１０Ｂである膨張体に対して空気の出し入れを行うのである。また、この空気注入口２１０Ｂは、リストバンド形アームレストＢを手首Ｈに巻き付けた場合に、手首Ｈの内側、すなわち台部２００Ｂである膨張体が位置する箇所以外の箇所、例えば手首Ｈの外側に位置するようになっている。
【００１６】
なお、リストバンド本体１００Ｂにゴム帯３００Ｂが内蔵されている点は上述したものと同一である。
【００１７】
次に、本発明の第３の実施の形態に係るリストバンド形アームレストＣについて説明する。
このリストバンド形アームレストＣは、図５に示すように、台部２００Ｃに複数個の小球４００Ｃが設けられている。この小球４００Ｃは、台部２００Ｃに自身の中心を回転中心として回転可能になっている。具体的には、図５に示すように、台部２００Ｃに凹部４１０Ｃを設け、この凹部４１０Ｃに小球４００Ｃを嵌め込み、その上から小球４００Ｃの一部が露出するような開口４２１Ｃを有する蓋体４２０Ｃを取り付ける。前記蓋体４２０Ｃを取り付けることにより、小球４００Ｃは前記凹部４１０Ｃからこぼれ落ちないようになる。しかも、前記小球４００Ｃは、リストバンド本体１００Ｃに設けられた開口１１０Ｃを介して外部に露出している。
【００１８】
なお、リストバンド本体１００Ｃにゴム帯３００Ｃが内蔵されている点は上述したものと同一である。
【００１９】
かかるリストバンド形アームレストＣであると、手首Ｈに巻き付けて使用する際に、テーブルの上に小球４００Ｃが接触するので、手首Ｈ自体を滑らせることで小球４００Ｃが自身の中心を回転中心として回転する。このため、手首Ｈの移動がスムーズになる。
【００２０】
なお、このリストバンド形アームレストＣの台部２００Ｃは、空気で膨らむ膨張体であってもよいことはいうまでもない。
【００２１】
また、前記リストバンド本体Ａ〜Ｃは、略リング状のものであるとしたが、帯状のものであってもよい。この場合には、面ファスナー等の適宜な連結手段でリストバンド本体１００Ａ〜１００Ｃをリング状にして使用する。なお、この場合には、前記ゴム帯３００Ａ〜３００Ｃに相当するものは特には必要ない。
【００２２】
【発明の効果】
本発明に係るリストバンド形アームレストは、コンピュータのポインティングデバイスであるマウスを操作する側の腕の手首に巻き付けて使用するものであって、前記手首に巻き付けられるリストバンド本体を備えており、前記リストバンド本体の一部が他の部分より外側に向かって膨出している。
【００２３】
このため、このリストバンド形アームレストを手首に巻き付けてマウスを操作すると、手首の曲がりがリストバンド形アームレストを使用していない場合より小さくなるので、手首の疲れが減少する。また、マウス自体に手首を載せる台を設けるというように、マウス自体の変更がないので、マウスの小形化、軽量化を損ねることがない。さらに、手首を載せる出っ張りを設けマウスパッドのように固定的なものではないで、手首が自由に動くというメリットもある。また、前記マウスパッドのように手首が擦れるという問題もない。
【００２４】
また、前記膨出している部分は、弾性を有する素材がリストバンド本体に内蔵されることで構成されているものであれば、ある程度のクッション性を確保することがてきるので、手首の疲れの減少に寄与する。
【００２５】
また、前記膨出している部分が、空気で膨らむ膨張体がリストバンド本体に内蔵されることで構成されているものあれば、前記クッション性を確保することができるとともに、使用者の好みに応じた高さに変更することができるというメリットがある。
【００２６】
さらに前記膨出している部分には、自身の中心を回転中心として回転可能な１又は複数の小球が設けられており、前記小球の一部がリストバンド本体から外部に露出しているものであれば、前記小球を滑らせることによって、手首を自由に滑らせることができるので、より大きな範囲でマウスを操作することが可能になる。
【図面の簡単な説明】
【図１】本発明の第１の実施の形態に係るリストバンド形アームレストの概略的斜視図である。
【図２】本発明の第１の実施の形態に係るリストバンド形アームレストの概略的断面図である。
【図３】本発明の第１の実施の形態に係るリストバンド形アームレストの使用状態を示す概略的斜視図である。
【図４】本発明の第２の実施の形態に係るリストバンド形アームレストの概略的斜視図である。
【図５】本発明の第３の実施の形態に係るリストバンド形アームレストの要部の概略的断面図である。
【符号の説明】
１００Ａ  リストバンド本体
２００Ａ  台部
Ｍ        マウス
Ｈ        手首
【図１】
2004185125.tif 000003
【図２】
2004185125.tif 000004
【図３】
2004185125.tif 000005
【図４】
2004185125.tif 000006
【図５】
2004185125.tif 000007